(57)【要約】【課題】熱交換器に堆積又は付着した埃等に起因する汚れやカビの発生を抑制することを目的とする。【解決手段】噴射装置２０は、空気調和機の室内機１に設けられてフィン１０及びチューブ１１を有する上部熱交換器８に対して、ドレン水を噴射する。噴射装置２０は、熱交換器３の一面に沿って移動可能に設けられ、熱交換器３に対してドレン水を噴射する噴射部と、噴射部が移動する所定のルートに沿って熱交換器３に設けられたチューブ１１を検出する検出部と、検出部の検出結果に基づいて噴射部を移動させる駆動部と、を備えている。【選択図】図１
2020112318.tif 000002
【特許請求の範囲】
【請求項１】
空気調和機の室内機に設けられてフィン及びチューブを有する熱交換器に対して、流体を噴射する噴射装置であって、
前記熱交換器の一面に沿って移動可能に設けられ、前記熱交換器に対して流体を噴射する噴射部と、
前記噴射部が移動する所定のルートに沿って前記熱交換器に設けられた検出対象を検出する検出部と、
前記検出部の検出結果に基づいて前記噴射部を移動させる駆動部と、を備えた噴射装置。
【請求項２】
前記検出対象は、前記熱交換器に設けられた前記チューブを有する請求項１に記載の噴射装置。
【請求項３】
前記熱交換器の一面とは反対側の面である他面に設けられ、前記噴射部に追従して移動し、前記噴射部から噴射された流体を受ける遮蔽部を備える請求項１または請求項２に記載の噴射装置。
【請求項４】
前記噴射部には、前記室内機に設けられたドレンパンに貯留されているドレン水が供給され、
前記噴射部が噴射する流体は、前記ドレン水である請求項１から請求項３のいずれかに記載の噴射装置。
【請求項５】
前記室内機に設けられた給電装置からの電力を蓄電する蓄電部を備え、
前記駆動部は、前記蓄電部からの電力によって駆動する請求項１から請求項４のいずれかに記載の噴射装置。
【請求項６】
内部に冷媒が流通するチューブ及び前記チューブの外面に固定されたフィンを有する熱交換器と、
請求項１から請求項５のいずれかに記載の噴射装置と、を備えた空気調和機の室内機。
【発明の詳細な説明】
【技術分野】
【０００１】
本発明は、噴射装置及び空気調和機の室内機に関するものである。
【背景技術】
【０００２】
空気調和機の室内機は、外殻を為す筐体と、筐体の内部に設けられるファン及び熱交換を備えていて、ファンによって、熱交換器へ供給するための外気を筐体の内部に導入している。外気には、埃等が含まれている。このため、外気を筐体内に導入することで、筐体内には外気とともに埃等が侵入する。筐体内に埃等が侵入すると、侵入した埃が、筐体内のファンや熱交換器に堆積又は付着してしまい、汚れやカビの発生の原因となる。
このような事態を抑制するために、空気調和機の室内機では、外気の導入口等に埃を捕捉するフィルタを設け、筐体の内部に侵入する埃を抑制している（例えば、特許文献１）。
【先行技術文献】
【特許文献】
【０００３】
【特許文献１】特開２０１３−５７６４０号公報
【発明の概要】
【発明が解決しようとする課題】
【０００４】
しかしながら、筐体の内部には、様々な箇所から埃が侵入する。このため、フィルタだけでは、すべての埃の侵入を防止することはできない。したがって、フィルタを設けた場合であっても、筐体内に配置された熱交換器に埃が堆積又は付着し、堆積又は付着した埃が汚れやカビの発生の原因となるという問題が生じていた。
【０００５】
本発明は、このような事情に鑑みてなされたものであって、熱交換器に堆積又は付着した埃等に起因する汚れやカビの発生を抑制することができる噴射装置及び空気調和機の室内機を提供することを目的とする。
【課題を解決するための手段】
【０００６】
上記課題を解決するために、本発明の噴射装置及び空気調和機の室内機は以下の手段を採用する。
本発明に一態様に係る噴射装置は、空気調和機の室内機に設けられてフィン及びチューブを有する熱交換器に対して、流体を噴射する噴射装置であって、前記熱交換器の一面に沿って移動可能に設けられ、前記熱交換器に対して流体を噴射する噴射部と、前記噴射部が移動する所定のルートに沿って前記熱交換器に設けられた検出対象を検出する検出部と、前記検出部の検出結果に基づいて前記噴射部を移動させる駆動部と、を備えている。
【０００７】
上記構成では、所定のルートに沿って熱交換器の一面に沿って移動する噴射部が、熱交換器に向かって流体を噴射する。噴射部が流体を噴射することで、熱交換器に堆積又は付着した埃等を除去することができる。これにより、熱交換器に堆積又は付着した埃等に起因する汚れやカビの発生を抑制することができる。
【０００８】
また、所定のルートに沿って熱交換器に設けられた検出対象を検出する検出部の検出結果に基づいて、噴射部が移動する。これにより、検出対象を所望のルートに設けることで、所望のルートで噴射部を自動的に移動させることができる。したがって、自動的に、熱交換器の所望の領域に対して、噴射部で流体を噴射することができる。
【０００９】
また、本発明に一態様に係る噴射装置は、前記検出対象は、前記熱交換器に設けられた前記チューブを有していてもよい。
【００１０】
上記構成では、熱交換器に設けられたチューブを検出対象としている。これにより、検出部が検出する検出対象を、別途設ける必要がない。したがって、検出対象を別途熱交換器に設ける構成と比較して、構造を簡素化することができる。
【００１１】
また、通常、熱交換器には、略全域にチューブが設けられている。上記構成では、検出部が熱交換器に設けられたチューブを検出し、チューブに沿って噴射部が移動する。これにより、熱交換器の略全域にチューブが設けられている場合には、熱交換器の略全域に対して、自動的に噴射部で流体を噴射し、熱交換器に堆積又は付着した埃等を除去することができる。
【００１２】
また、本発明に一態様に係る噴射装置は、前記熱交換器の一面とは反対側の面である他面に設けられ、前記噴射部に追従して移動し、前記噴射部から噴射された流体を受ける遮蔽部を備えていてもよい。
【００１３】
上記構成では、噴射部から噴射された流体を受ける遮蔽部が設けられている。噴射部から噴射された流体は、熱交換器を通過し、熱交換器の他面に設けられた遮蔽部によって遮蔽される。これにより、噴射部が噴射した流体が、熱交換器を通過後に他の部材等に飛散する事態を抑制することができる。したがって、飛散した流体に起因して他の部材が損傷（腐食等）する事態を抑制することができる。
【００１４】
また、本発明に一態様に係る噴射装置は、前記噴射部には、前記室内機に設けられたドレンパンに貯留されているドレン水が供給され、前記噴射部が噴射する流体は、前記ドレン水であってもよい。
【００１５】
上記構成では、噴射部にドレンパンに貯留されているドレン水が供給され、噴射部はドレン水を噴射している。これにより、噴射部が噴射する流体を、室内機の外部から供給することなく、室内機の内部で賄うことができる。したがって、噴射部に対して室内機の外部から流体を供給する構成と比較して、構成を簡素化することができる。
【００１６】
また、本発明に一態様に係る噴射装置は、前記室内機に設けられた給電装置からの電力を蓄電する蓄電部を備え、前記駆動部は、前記蓄電部からの電力によって駆動してもよい。
【００１７】
上記構成では、噴射装置が蓄電部を備え、蓄電部からの電力によって駆動部が駆動する。これにより、噴射部が移動する際に、電力を供給するコード等が接続されない構造とすることができる。したがって、噴射部の移動の際の制約を抑制することができる。
【００１８】
本発明に一態様に係る空気調和機の室内機は、上記いずれかに記載の噴射装置と、内部に冷媒が流通するチューブ及び前記チューブの外面に固定されたフィンを有する熱交換器と、を備え、前記噴射装置は、前記熱交換器に対して流体を噴射する。
【発明の効果】
【００１９】
本発明によれば、熱交換器に堆積又は付着した埃等に起因する汚れやカビの発生を抑制することができる。
【図面の簡単な説明】
【００２０】
【図１】本発明の実施形態に係る空気調和機の室内機の内部を示した斜視図である。
【図２】図１の熱交換器及び噴射装置の模式的な側面図である。
【発明を実施するための形態】
【００２１】
以下に、本発明に係る空気調和機の室内機の一実施形態について、図面を参照して説明する。なお、以下の説明では、室内機の据付時に水平方向となる方向を左右方向とし、据付時に上下方向となる方向を単に上下方向としている。また、これら左右方向及び上下方向に直交する方向を前後方向とする。なお、据付時に手前側となるのが前後方向の前側とする。また、図中のＵＰは上方を示し、ＦＲは前方を示し、ＩＮは左右方向の内側を示している。
【００２２】
図１を用いて、空気調和機の室内機１について説明する。なお、図１は、図示の関係上、室内機１の外殻を為す筐体２７の一部を省略して図示している。
【００２３】
空気調和機の室内機１は、外殻を為す筐体２を備えている。また、室内機１は、筐体２の内部に熱交換器３、送風ファン（図示省略）及びコントロールボックス（図示省略）等の各種装置を収納している。
【００２４】
筐体２は、ベース４と、このベース４の前面側に着脱自在に組付けられる前面カバー及び前面パネルと、備えている。前面カバー及び前面パネルは、筐体２の上面、左右側面及び前面を規定している。なお、図１では、図示の関係上、前面カバー及び前面パネルを省略している。
【００２５】
熱交換器３は、いわゆるプレートフィンチューブ型の熱交換器３である。熱交換器３は、図１及び図２に示すように、前方に配置されて略鉛直に設けられるパネル状の第１熱交換器９と、第１熱交換器９の上端から曲折して後方かつ上方に延びる第２熱交換器８と、第２熱交換器８の上端から曲折して後方かつ下方に延びる第３熱交換器７と、を一体的に有している。
第２熱交換器８と第１熱交換器９とは、鈍角を為すように接続されている。第２熱交換器８と第３熱交換器７とは、鋭角を為すように接続されている。
【００２６】
熱交換器３は、内部に冷媒が流通し左右方向に延びる複数のチューブ１１と、チューブ１１の延在方向と直交するように設けられた板状の複数のフィン１０とを有する。
各チューブ１１は、銅で形成されており、内部に冷媒が流通している。複数のチューブ１１は互いが平行となるように所定距離離間して並んで配置されている。また、複数のチューブ１１は、隣接するチューブ１１の開口端同士をＵベント管１２で接続することにより、蛇行状の配管通路を形成している。なお、チューブ１１の原料は、一例であり、銅以外の金属で形成されていてもよく、また、金属以外の原料で形成されていてもよい。
【００２７】
各フィン１０は、アルミで形成されている。また、各フィン１０には、板厚方向に貫通する貫通孔（図示省略）が複数形成されている。チューブ１１は、フィン１０に形成された複数の貫通孔を挿通している。なお、チューブ１１は、外周面が貫通孔の縁と接触するように、貫通孔を挿通している。また、複数のフィン１０は、互いが平行となるように所定距離離間して並んで配置されている。なお、フィン１０の原料は、一例であり、アルミ以外の金属で形成されていてもよく、また、金属以外の原料で形成されていてもよい。
【００２８】
なお、複数のフィン１０は、隣接するフィン１０同士が近接して配置される。すなわち、隣接するフィン１０同士の間に形成される隙間が、小さく設定されている。したがって、図１及び図２では、各フィン１０を図示せず、第１熱交換器９、第２熱交換器８及び第３熱交換器７をパネル状に図示している。また、以下の説明において、パネル状の第１熱交換器９、第２熱交換器８及び第３熱交換器７のパネル面を、「熱交換器の表面」という。すなわち、以下の説明における「熱交換器の表面」は、実際には、並んで配置される複数のフィン１０の側面（フィン１０の板面と交差する面）によって形成されている。
【００２９】
熱交換器３の下方には、ドレンパン１４が設けられている。詳細には、第１熱交換器９、第２熱交換器８及び第３熱交換器７の下方には、ドレンパン１４が設けられている。ドレンパン１４は、熱交換器３のチューブ１１等の表面で空気中の水分が結露することで発生するドレン水が滴下した際に、滴下したドレン水を受け止める。また、受け止めたドレン水を貯留する。
【００３０】
次に、室内機１に備え付けられている噴射装置２０及び噴射装置２０に関わる各種装置について説明する。
【００３１】
噴射装置２０は、図２に示すように、熱交換器３に対してドレン水を噴射する噴射側ユニット２１と、噴射側ユニット２１から噴射されたドレン水を受ける遮蔽部２２とを有する。
【００３２】
噴射側ユニット２１は、熱交換器３の外側の表面である一面３ａに沿って移動可能に設けられている。熱交換器３の一面３ａは、第１熱交換器９の前方側の表面である一面９ａと、第２熱交換器８の表面のうち第１熱交換器９の一面９ａと連続する表面である一面８ａと、第３熱交換器７の表面のうち第２熱交換器８の一面８ａと連続する表面である一面７ａと、を有する。また、噴射側ユニット２１は、ドレン水を貯留する貯留部２３と、熱交換器３に対して貯留部２３に貯留されているドレン水を噴射する噴射部（図示省略）と、熱交換器３に設けられたチューブ１１を検出する検出部（図示省略）と、検出部の検出結果に基づいて噴射部を移動させる駆動部（図示省略）と、室内機１に設けられた充電ポート（給電装置）１５からの電力を蓄電する図示省略のバッテリ（蓄電部）と、を備えている。
【００３３】
貯留部２３は、上端が開口する桶状の部材であって、所定量のドレン水を貯留する。貯留部２３は、噴射側ユニット２１が充電ポート１５に位置している状態（図１に示す状態）で、ドレン水供給装置１６によってドレン水を供給される。なお、以下の説明では、噴射側ユニット２１が充電ポート１５に位置している状態を、「待機状態」という。
【００３４】
ドレン水供給装置１６は、ドレンパン１４に貯留しているドレン水を吸い上げるポンプ１７と、ポンプ１７で吸い上げたドレン水を、待機状態の噴射側ユニット２１の貯留部２３へ供給するドレン水配管１８と、を備えている。ドレン水配管１８の下流端は、待機状態の噴射側ユニット２１の貯留部２３の上方に位置し、下方に向かって開口している。すなわち、ドレン水配管１８と噴射ユニットとは接続されておらず、ドレン水配管１８の下流端からドレン水を排出することで、落下したドレン水が、貯留部２３内に供給される。充電ポート１５は、待機状態の噴射側ユニット２１は、ドレンパン１４の鉛直上方に位置するように配置されている。したがって、ドレン水を貯留部２３に供給する際に、貯留部２３から溢れたドレン水は、ドレンパン１４に落下する。
【００３５】
噴射部は、熱交換器３の一面３ａと対向するように設けられ、熱交換器３に対してドレン水を噴射する。噴射部の例として、ノズルが挙げられる。噴射部には、貯留部２３に貯留されているドレン水が供給される。
【００３６】
検出部は、熱交換器３の一面３ａと対向するように設けられ、チューブ１１（検出対象）を検出する。なお、本実施形態に係る噴射側ユニット２１は、チューブ１１の外面に固定されたフィン１０と接触しているため、直接チューブ１１と接触していない。すなわち、検出部は、チューブ１１と接触していない状態（非接触の状態）で、チューブ１１を検出する。検出部が検出したデータは、後述する制御装置に送信される。
【００３７】
検出部の例としては、カメラや赤外線センサが挙げられる。検出部としてカメラを適用する場合には、カメラは、熱交換器３を撮像するように配置され、撮像されたデータからチューブ１１を検出する。また、検出部として赤外線センサを適用する場合には、赤外線センサは銅を検知するように設定される。このように設定することで、銅で形成されたチューブ１１を検出することができる。
【００３８】
駆動部は、検出部が検出した検出結果に基づいて、噴射側ユニット２１を移動させる。具体的には、検出部が検出したチューブ１１に沿うように、噴射側ユニット２１を移動させる。なお、駆動部は、噴射側ユニット２１が熱交換器３の一面３ａの左右方向の端部まで移動すると、噴射側ユニット２１を一旦停止させる。その後、チューブ１１の延在方向と交差する方向に噴射側ユニット２１を移動させる。このとき、駆動部は、検出部が、チューブ１１を検出するまで噴射側ユニット２１を移動させる。そして、検出部がチューブ１１を検出すると、噴射側ユニット２１の移動を停止させる。このように、噴射側ユニット２１を移動させることで、検出部が検出対象とするチューブ１１を、当初のチューブ１１から隣接するチューブ１１に変更することができる。
【００３９】
駆動部は、モータと、モータによって回転駆動し熱交換器３の一面３ａと接触する接触部とを有する。接触部の例としては、大径のローラや、キャタピラが挙げられる。大径のローラとは、例えば、隣接するフィン１０の間に形成される隙間よりも十分に大きい径とされるローラである。このように、大径のローラやキャタピラを用いることで、噴射装置２０が移動する際に、隣接するフィン１０の間に形成される隙間や、凹み等の影響を受けにくくすることができる。
【００４０】
バッテリは、噴射側ユニット２１が待機状態となっている際に、充電ポート１５から電力を転送され、転送された電力を蓄電する。蓄電した電力は、駆動部の駆動力として利用される。充電ポート１５は、第２熱交換器８と隣接するように配置されている。
【００４１】
遮蔽部２２は、熱交換器３の一面３ａとは反対側の面（内側の面）である他面３ｂに設けられ、噴射部に追従して移動する。熱交換器３の他面３ｂは、第１熱交換器９の後方側の表面である他面９ｂと、第２熱交換器８の表面のうち第１熱交換器９の他面９ｂと連続する表面である他面８ｂと、第３熱交換器７の表面のうち第２熱交換器８の他面８ｂと連続する表面である他面７ｂと、を有する。遮蔽部２２は、噴射側ユニット２１が、例えば、第２熱交換器８の一面８ａに沿って移動している際に、第２熱交換器８の表面を正面視した場合に噴射側ユニット２１と重なる位置となるように、噴射部を追従する。
【００４２】
噴射側ユニット２１及び遮蔽部２２には、各々磁石部（図示省略）が設けられている。噴射側ユニット２１に設けられた磁石部と、遮蔽部２２に設けられた磁石部とは、引き合うように構成されている。すなわち、噴射側ユニット２１と遮蔽部２２とは、熱交換器３を挟んで引き合うことで、互いを熱交換器３に接触するように固定している。また、噴射側ユニット２１と遮蔽部２２とが引き合っているので、噴射側ユニット２１が駆動部によって移動することで、遮蔽部２２が噴射側ユニット２１を追従するように移動する。すなわち、遮蔽部２２は、独自の駆動部を有していない。
【００４３】
制御装置（図示省略）は、検出部が検出したデータを受信し、受信したデータに基づいて、駆動部を制御する。詳細には、検出部が検出したチューブ１１に沿って噴射側ユニット２１が移動するように、駆動部を制御する。
制御装置は、例えば、ＣＰＵ（Central  Processing  Unit）、ＲＡＭ（Random  Access  Memory）、ＲＯＭ（Read  Only  Memory）、及びコンピュータ読み取り可能な記憶媒体等から構成されている。そして、各種機能を実現するための一連の処理は、一例として、プログラムの形式で記憶媒体等に記憶されており、このプログラムをＣＰＵがＲＡＭ等に読み出して、情報の加工・演算処理を実行することにより、各種機能が実現される。なお、プログラムは、ＲＯＭやその他の記憶媒体に予めインストールしておく形態や、コンピュータ読み取り可能な記憶媒体に記憶された状態で提供される形態、有線又は無線による通信手段を介して配信される形態等が適用されてもよい。コンピュータ読み取り可能な記憶媒体とは、磁気ディスク、光磁気ディスク、ＣＤ−ＲＯＭ、ＤＶＤ−ＲＯＭ、半導体メモリ等である。
【００４４】
次に、本実施形態に係る噴射装置２０の作用について説明する。
空気調和機の運転時には、噴射装置２０の噴射側ユニット２１は、充電ポート１５に位置し、待機状態となっている。待機状態の際に、噴射側ユニット２１の貯留部２３には、ドレン水供給装置１６によってドレン水が供給される。また、噴射側ユニット２１のバッテリには、充電ポート１５から電力が転送される。
【００４５】
噴射装置２０による熱交換器３の清掃は、空気調和機が停止している状態で行われる。清掃が開始されると、まず、噴射側ユニット２１は、充電ポート１５から第２熱交換器８の一面８ａへと移動する。このとき、遮蔽部２２も噴射側ユニット２１に追従し、第２熱交換器８の他面８ｂへと移動する。第２熱交換器８の一面８ａへと移動した噴射側ユニット２１は、検出部によってチューブ１１を検出し、チューブ１１の延在方向に沿って移動する。このとき、遮蔽部２２も噴射側ユニット２１に追従して移動する。
【００４６】
噴射側ユニット２１の移動中に噴射部は、第２熱交換器８へ向かってドレン水を噴射する。ドレン水が噴射されると、ドレン水の水圧によって第２熱交換器８に堆積又は付着した埃等が除去される。また、噴射されたドレン水は、隣接するフィン１０の間を通過し、第２熱交換器８の他面８ｂ側に到達する。第２熱交換器８の他面８ｂ側に到達したドレン水は、遮蔽部２２によって受け止められる。遮蔽部２２に受け止められたドレン水は、遮蔽部２２の表面から滴下し、熱交換器３の下方に配置されたドレンパン１４へ落下する。
【００４７】
噴射側ユニット２１が第２熱交換器８の一面８ａの左右方向の端部まで移動すると、噴射側ユニット２１は一旦停止する。その後、噴射側ユニット２１は、第２熱交換器８の一面８ａに沿って、チューブ１１の延在方向と交差する方向に噴射側ユニット２１を移動させる。このとき、噴射側ユニット２１は、検出部がチューブ１１を検出するまで移動する。そして、噴射側ユニット２１は、検出部がチューブ１１を検出すると、移動を停止する。このように、噴射側ユニット２１が移動することで、検出部が検出対象とするチューブ１１を、当初のチューブ１１から隣接するチューブ１１に変更することができる。
【００４８】
次に、噴射側ユニット２１は、再度検出部によってチューブ１１を検出し、チューブ１１の延在方向に沿って移動する。このとき、噴射側ユニット２１は、それまでの進行方向と反対方向へ移動する。このように移動することで、噴射装置２０（噴射側ユニット２１及び噴射側ユニット２１に追従する遮蔽部２２）がＵターンすることとなる。
噴射装置２０は、Ｕターンを繰り返すことで、第２熱交換器８の略全域を清掃する。そして、第２熱交換器８の清掃を終えると、次に、第１熱交換器９又は第３熱交換器７を、第２熱交換器８と同様に清掃する。
【００４９】
このようにして、噴射側ユニット２１は、図１の軌道（ルート）Ａに示すように、複数回Ｕターンを繰り返し、熱交換器３の略全域を清掃する。軌道Ａの終点まで移動すると、噴射側ユニット２１はドレン水の噴射を停止する。その後噴射側ユニット２１は、充電ポート１５まで移動し、充電ポート１５で待機状態となる。このように、本実施形態に係る噴射装置２０は、チューブ１１に沿って移動する。換言すれば、チューブ１１は噴射装置２０の移動するルートに沿うように設けられている。
【００５０】
本実施形態によれば、以下の作用効果を奏する。
【００５１】
本実施形態では、噴射部が、熱交換器３に向かってドレン水を噴射する。噴射部がドレン水を噴射することで、熱交換器３に堆積又は付着した埃等を除去することができる。これにより、熱交換器３に堆積又は付着した埃等に起因する汚れやカビの発生を抑制することができる。
【００５２】
また、所定のルートに沿って熱交換器３に設けられた検出対象を検出する検出部の検出結果に基づいて、噴射部が移動する。これにより、検出対象を所望のルートに設けることで、所望のルートで噴射部を自動的に移動させることができる。したがって、自動的に、熱交換器３の所望の領域に対して、噴射部でドレン水を噴射することができる。
【００５３】
本実施形態では、熱交換器３に設けられたチューブ１１を検出する検出部の検出結果に基づいて、噴射側ユニット２１が移動する。これにより、熱交換器３に、噴射装置２０が所定のルートを移動するための機構（レール等）を設けることなく、噴射装置２０を移動させることができる。したがって、構造を簡素化することができる。また、すでに室内機１に設けられているチューブ１１を検出対象としている。これにより、検出部が検出する検出対象を、別途設ける必要がない。したがって、検出対象を別途、熱交換器３に設ける構成と比較して、構造を簡素化することができる。
【００５４】
本実施形態では、検出部が熱交換器３の略全域に設けられたチューブ１１を検出し、チューブ１１に沿って噴射部が移動する。これにより、熱交換器３の略全域に対して、自動的に噴射部でドレン水を噴射し、熱交換器３に堆積又は付着した埃等を除去することができる。
【００５５】
本実施形態では、噴射部から噴射されたドレン水を受ける遮蔽部２２が設けられている。噴射部から噴射されたドレン水は、熱交換器３を通過し、熱交換器３の他面３ｂに設けられた遮蔽部２２によって遮蔽される。これにより、噴射部が噴射したドレン水が、熱交換器３を通過後に他の部材等に飛散する事態を抑制することができる。したがって、飛散したドレン水に起因して他の部材が損傷（腐食等）する事態を抑制することができる。
【００５６】
本実施形態では、噴射部にドレンパン１４に貯留されているドレン水が供給され、噴射部はドレン水を噴射している。これにより、噴射部が噴射するドレン水を、室内機１の外部から供給することなく、室内機１の内部で賄うことができる。したがって、噴射部に対して室内機１の外部からドレン水を供給する構成と比較して、構成を簡素化することができる。
また、本実施形態では、熱交換器３の下方にドレンパン１４が設けられている。これにより、遮蔽部２２に遮蔽されたドレン水は、遮蔽部２２からドレンパン１４に滴下する。したがって、ドレン水を循環させることができる。ドレン水の減少を抑制することができる。
【００５７】
本実施形態では、噴射装置２０がバッテリを備え、バッテリからの電力によって駆動部が駆動する。これにより、噴射側ユニット２１が移動する際に、電力を供給するコード等が接続されない構造とすることができる。したがって、噴射側ユニット２１の移動の際の制約を抑制することができる。
【００５８】
なお、本発明は、上記実施形態に限定されるものではなく、その要旨を逸脱しない範囲において、適宜変形が可能である。
例えば、上記実施形態では、噴射装置２０が室内機１に備え付けられる例について説明したが、本発明はこれに限定されない。噴射装置２０は、室内機１に取り付け可能な構成としてもよい。すなわち、熱交換器３の清掃時のみ噴射装置２０を取り付け、清掃が終了すると噴射装置２０を取り外す構成としてもよい。この場合には、噴射装置２０の清掃開始位置に対応する室内機１の筐体２に開口を形成し、該開口を介して、噴射装置２０を熱交換器３に取り付けると好適である。また、この場合には、上記実施形態で説明したように、室内機１に充電ポート１５及びドレン水供給装置１６を設けてもよく、また、室内機１には充電ポート１５及びドレン水供給装置１６を設けずに、バッテリに蓄電した状態であって、かつ、貯留部２３に水を貯留した状態で、室内機１に取り付けるようにしてもよい。
【００５９】
また、上記実施形態では、噴射装置２０が蓄電部を有する例について説明したが、本発明はこれに限定されない。駆動部へ電力を供給する装置は、放電のみを行うことができる電池（一次電池）であってもよい。このように構成することで、室内機１に充電ポート１５を設ける必要がなくなるため、室内機１内のスペースを省スペース化することができる。
【００６０】
また、上記実施形態では、室内機１にドレン水供給装置１６を設ける例について説明したが、本発明はこれに限定されない。例えば、ドレン水供給装置を噴射装置２０に設けてもよい。
【００６１】
また、上記実施形態では、噴射装置２０の検出部がチューブ１１を検出し、チューブ１１に沿って噴射装置２０が移動する例について説明したが、本発明はこれに限定されない。例えば、熱交換器３の表面にラインを引き、噴射装置２０の検出部が、このラインを検出するとともに、ラインに沿って噴射装置２０が移動してもよい。
【００６２】
また、上記実施形態では、第１熱交換器９、第２熱交換器８及び第３熱交換器７が一体的に設けられる例について説明したが、本発明はこれに限定されない。例えば、第１熱交換器９と第２熱交換器８と第３熱交換器７とが、ブラケット等の連結部材によって連結されていてもよい。
【符号の説明】
【００６３】
１    ：室内機
２    ：筐体
３    ：熱交換器
３ａ  ：一面
３ｂ  ：他面
４    ：ベース
７    ：第３熱交換器
８    ：第２熱交換器
９    ：第１熱交換器
１０  ：フィン
１１  ：チューブ
１２  ：Ｕベント管
１４  ：ドレンパン
１５  ：充電ポート
１６  ：ドレン水供給装置
１７  ：ポンプ
１８  ：ドレン水配管
２０  ：噴射装置
２１  ：噴射側ユニット
２２  ：遮蔽部
２３  ：貯留部
Ａ    ：軌道
【図１】
2020112318.tif 000003
【図２】
2020112318.tif 000004